(57)【特許請求の範囲】
【請求項１】
ランプを有する灯体部と、この灯体部の中央上面に取付けられた天井用の取付部と、この取付部と天井面との間に介在するフランジと、前記灯体部と前記取付部との間または前記取付部と前記フランジの間に回動自在に挟持された取付台と、前記灯体部より外方に突出する補助照明取付部を先端に有して前記取付台の上面に取付けられた支持アームとを備え、
前記支持アームは長手方向に伸縮可能であり、前記長手方向が前記灯体部の中心を通らないように前記取付台の中心から径方向に離れた位置に取付けられた照明器具。
【請求項２】
前記支持アームの後端に前記フランジの下面に接近するように突出する突出部を有する請求項１記載の照明器具。
【請求項３】
ランプを有する灯体部と、この灯体部の中央上面に取付けられた天井用の取付部と、この取付部と天井面との間に介在するフランジと、前記灯体部と前記取付部との間または前記取付部と前記フランジの間に回動自在に挟持された取付台と、前記灯体部より外方に突出する補助照明取付部を先端に有して前記取付台の上面の前記灯体部の中心を通らない位置に回動自在に取付けられた支持アームとを備えた照明器具。
【発明の詳細な説明】
【０００１】
【発明の属する技術分野】
この発明は、照明器具に関するものである。
【０００２】
【従来の技術】
第１の従来例（たとえば実開昭57-136112 号) を図１８に示す。すなわち、この照明器具は、部屋全体を照らす主照明の灯体部１００に支持アーム１０２を介して補助照明器具１０１を設け、支持アーム１０２を回動伸縮可能にしていた。第２の従来例（たとえば実開平 3-22810号) を図１９に示す。すなわち、この照明器具は、灯体部１００の下面に支持アーム１０２を回動自在に設けている。
【０００３】
【発明が解決しようとする課題】
第１の従来例は、支持アーム１０２が回動する際に灯体部１００も同時に連動して回動する構成のため、灯体形状として方向性のあるものに適用することができないという欠点があった。
第２の従来例は、灯体部１００が回動しないが、支持アーム１０２が灯体部１００の下方に位置するため外観が悪いという欠点があった。
【０００４】
したがって、この発明の目的は、支持アームを灯体部の上に配置できかつ灯体部を固定して支持アームを回動することができる照明器具を提供することである。
【０００５】
【課題を解決するための手段】
請求項１記載の照明器具は、ランプを有する灯体部と、この灯体部の中央上面に取付けられた天井用の取付部と、この取付部と天井面との間に介在するフランジと、前記灯体部と前記取付部との間または前記取付部と前記フランジの間に回動自在に挟持された取付台と、前記灯体部より外方に突出する補助照明取付部を先端に有して前記取付台の上面に取付けられた支持アームとを備え、
前記支持アームは長手方向に伸縮可能であり、前記長手方向が前記灯体部の中心を通らないように前記取付台の中心から径方向に離れた位置に取付けられたものである。
請求項１記載の照明器具によれば、支持アームが灯体部の上側にあるため下方からの外観がよくなり、取付台を灯体部に回動自在に設けたため、灯体部が回転することなく支持アームを回動することができ、灯体形状として方向性のあるものにも展開できる。
【０００６】
また、取付台の回転のガイドを灯体部に形成でき、ガイドを別に設けなくてもよいため、構造を簡略化できる。
【０００７】
前記支持アームが前記取付台の中心から径方向に離れた位置に取付けられているため、回転モーメントが大きくなるので支持アームの先端を把持して回転させる際に回転させやすくなる。
また、前記支持アームを伸縮可能としたため、補助照明取付部が支持アームとともに移動するのでたとえば補助照明を主照明に近づけても不要なアームだけが残ることがなく外観が良くなる。
【０００８】
請求項２記載の照明器具は、請求項１において、前記支持アームの後端に前記フランジの下面に接近するように突出する突出部を有するものである。
請求項２記載の照明器具によれば、請求項１と同様な効果のほか、支持アームの先端に異常な力が加わって取付台が浮くようなことがあっても突出部がフランジに当たるため、灯体部の中心に過負荷が掛からず、支持アームを確実に保持できるとともに、突出部がフランジに当たり、たとえば天井に当たらないので天井を傷付けない。
本願の請求項３にかかる発明は、ランプを有する灯体部と、この灯体部の中央上面に取付けられた天井用の取付部と、この取付部と天井面との間に介在するフランジと、前記灯体部と前記取付部との間または前記取付部と前記フランジの間に回動自在に挟持された取付台と、前記灯体部より外方に突出する補助照明取付部を先端に有して前記取付台の上面の前記灯体部の中心を通らない位置に回動自在に取付けられた支持アームとを備えたものである。
【０００９】
請求項３記載の照明器具によれば、支持アームが灯体部の上側にあるため下方からの外観がよくなり、取付台を灯体部に回動自在に設けたため、灯体部が回転することなく支持アームを回動することができ、灯体形状として方向性のあるものにも展開できる。
取付台の回転のガイドを灯体部に形成でき、ガイドを別に設けなくてもよいので、構造を簡略化できる。
前記支持アームが前記取付台の中心から径方向に離れた位置に配置されているため、回転モーメントが大きくなるので支持アームの先端を把持して回転させる際に回転させやすくなる。
さらに、支持アームを取付台の回動とともに灯体部の中心の周りに回動するとともに、支持アームの取付位置を中心に回動することで補助照明器具取付部を灯体部に接近離間することができる。
【００１２】
【発明の実施の形態】
この発明の第１の実施の形態を図１ないし図５により説明する。すなわち、この照明器具は、灯体部１と、取付台２と、支持アーム３とを有する。
灯体部１はランプ４を有するもので、実施の形態では図５に示すように灯体部本体１ａの下面に取付けられて環形のランプ４を点灯するランプソケット５、ランプ４を点滅制御する点灯装置（図示せず）、ランプソケット５に装着されたランプ４を被覆するグローブ６を有する。３６はグローブ取付部である。また灯体部１は上面に環状の凹部７を形成し、中央に電線引込み孔８を形成し、また中央位置に有天筒状でつば状の接続部１０を設けた取付部１２をねじ等の取付具１３により取付けている。取付部１２の天部１２ａは中心にシーリング用孔１４を形成し、シーリング用孔１４の周縁に略だるま形の取付孔１５を形成し、図４に示す引っ掛けシーリング１６の取付板１７に設けたつまみねじ１８を取付孔１５の大径部より通してつまみねじ１８の首部を細幅部に通してつまみねじ１８を締めつけることができるようにしている。取付部１２の張出部として取付部１２の天部にフランジ１９をねじ等の取付具２０により取付け、フランジ１９の周縁部が天井面に当接することによって灯体部１を天井に直付け固定し、直付け照明器具となすようにし、引っ掛けシーリング１６の電線はシーリング用孔１４および電線引込み孔８を通して灯体部１内に引き込んでいる。
【００１３】
取付台２は、灯体部１の上側に回動自在に設けられている。実施の形態の取付台２は灯体部１の外径よりも小さい外径の略環状であり、断面形状が両側に幅広部を形成した略Ｕ字形に形成され、灯体部１の環状の凹部７に中央部が載置され、外周側の広幅部２ａは灯体部本体１ａの周縁部に一部被さり、内周側の広幅部２ｂは段上げ部２２を有して段上げ部２２よりも内周側が灯体部本体１ａの中央部の一部載っており、取付部１２の接続部１０が取付台２の内周側の上側を覆い、その先端の垂下片２３が段上げ部２２の外周に係合している。したがって、取付部１２は取付台２の中心穴２５より突出するとともに、取付部１２と灯体部本体１ａとの間に取付台２を挾み込んで回動自在に規制している。
【００１４】
支持アーム３は、補助照明取付部９を有して取付台２に取付けられている。実施の形態の支持アーム３は取付台２の中心から径方向に離れた位置に取付けられている。すなわち支持アーム３の後端側が取付部１２の外周側で接続部１０に位置するように配置され、支持アーム３が取付台と交差する２か所の位置の取付台外周近傍にねじ等の取付具２６により取付けている。２７は取付台２に設けた取付受け部である。
【００１５】
また補助照明取付部９は支持アーム３の灯体部１からの距離を可変にするもので、実施の形態では支持アーム３を伸縮可能に構成している。すなわち支持アーム３はアームケース２８と、支持アーム部２９からなり、支持アーム部２９がアームケース２８に摺動自在に嵌合し、アームケース２８が取付台２に取付けられている。アームケース２８はチャンネル形をなし、また支持アーム部２９はパイプたとえば中空鋼管を２つ折りに略Ｕ字状に成形したものであり、その折曲部に補助照明取付部９を設けている。この補助照明取付部９は図５に示すようにフック３３を有し、これに補助照明器具の引っ掛けシーリングキャップ（図示せず）を有する吊りコード３４を引っ掛けて吊持している。３５はフック３３を被覆するカバーである。
【００１６】
また支持アーム３は、先端側が引下げられた際に張出部に当たる規制用の突出部３０を支持アーム３の後端側のアームケース２８に設けている。実施の形態では突出部３０が略門形をなし、その上端部に当たり突起３１を設けている。したがって、支持アーム３の後端側の突出部３０は回転軌跡の上方に張出部であるフランジ１９が対向し、支持アーム３の先端側が、たとえば異常に、引下げられた際にフランジ１９に当たることができる。
【００１７】
第１の実施の形態によれば、支持アーム３が灯体部１の上側にあるため下方からの外観がよくなり、取付台２を灯体部１に回動自在に設けたため、灯体部１が回転することなく支持アーム３を回動することができ、灯体形状として方向性のあるものにも展開できる。
また環状の取付台２の回転のガイドを灯体部１に形成でき、ガイドを別に設けなくてもよいため、構造を簡略化できる。
【００１８】
支持アーム３は取付台２の中心から径方向に離れた位置に取付けられているため、回転モーメントが大きくなるので支持アーム３の先端を把持して回転させる際に回転させやすくなる。
規制用の突出部３０により、支持アーム３の先端に異常な力が加わって取付台２が浮くようなことがあっても、突出部３０がフランジ１９に当たるので、灯体部１の中心に過負荷がかからず、支持アーム３を確実に保持できるとともに、突出部３０がフランジ１９に当たり、たとえば天井に当たらないので天井を傷付けない。
【００１９】
補助照明取付部９の灯体部１に対する距離が可変なため配向の調整や変更が容易になる。
さらに、支持アーム３を伸縮可能としたため、補助照明取付部９が支持アーム３とともに移動するので、たとえば補助照明を主照明に近づけても不要なアームだけが残ることがなく外観が良くなる。
【００２０】
この発明の第２の実施の形態を図６ないし図８に示す。すなわち、第１の実施の形態と異なる点は、取付台２が中央孔を有する円板状に形成し、その内周側に筒状部４０を形成し、その上端にフランジ１９の下面に係合可能なリング状の係合部４１を形成し、係合部４１の内周端に形成した垂下片４２を、取付部１２の上端外周縁に形成したリング状の凹段部４３に係合し、また取付台２の外周端を灯体部本体１ａに当接部材４４を介して載置していることである。また支持アーム３は筒状部４０の外周で取付台２の上面に取付けている。
【００２１】
その他は第１の実施の形態と同様であり、共通部分に同一符号を付している。
この発明の第３の実施の形態を図９に示す。すなわち、第１の実施の形態と異なる点は、支持アーム３を取付台２に対して回動可能に取付手段４５により取付けていることである。また支持アーム３は中空鋼管等の棒状部材を２つ折りに略Ｕ字状に折曲したものでアームケースはない。この実施の形態によれば、支持アーム３を取付台２の回動とともに灯体部１の中心の周りに回動するとともに、支持アームの取付位置を中心に図９のように回動することで補助照明器具取付部９を灯体部１に接近離間することができる。
【００２２】
その他は第１の実施の形態と同様である。
なお、第３の実施の形態は第２の実施の形態に適用することができ、また取付台２がなくて直接灯体部１に取付けたり、回動しない取付台２に取付けてもよい。また補助照明器具取付部９を支持アーム３に摺動自在に構成してもよい。
この発明の第４の実施の形態を図１０に示す。すなわち、第１の実施の形態と異なる点は、支持アーム３の支持アーム部２９がアームケース２８に摺動自在に嵌合する上向き開口のチャンネルにより形成されていることである。この実施の形態によれば、アームケース２８および支持アーム部２９に通す電源線が下方から見えないので外観がよくなる。
【００２３】
その他は第１の実施の形態と同様である。
なお、この発明において、取付台２は灯体部１の上面に載置され、取付部１２やフランジ１９により規制を受けているが、積極的に取付台２を灯体部１と取付部１２等との間に挟持してもよく、またフランジ１９に回動自在に吊下げられてもよいものである。
【００２４】
以下は、補助照明器具の給電手段を示すものである。図１１ないし図１３は、補助照明器具の第１の給電手段を示している。図１１および図１２において、６０は引っ掛けシーリングボディ取付台であり、灯体部本体１ａの上面の周縁部に取付けている。６１は補助照明器具の引っ掛けシーリングキャップが引っ掛けられる角形の引っ掛けシーリングボディであり、引っ掛けシーリングボディ取付台６０に取付けている。６２はリード線であり、灯体部本体１ａに形成した孔６３を通して灯体部１内に配線している。図１３は灯体部１の内部を示し、６４は主照明の点灯装置、６５は引っ掛けシーリング１６に接続された電源線、６６は補助照明の制御装置、６７は補助照明の制御信号線、６８は点灯装置６４から制御装置６６への電源の送り、６９は赤外線受光部である。この赤外線受光部６９に手元送信部より信号を送信することにより、主照明および補助照明を個別または同時に点灯または消滅することができるようにしている。
【００２５】
図１４および図１５は、補助照明器具の第２の給電手段を示すものであり、第１の給電手段と異なる点は、主照明用スイッチ７０および補助照明用スイッチ７１を灯体部１に設け、その各スイッチを操作する主照明用スイッチレバー７２および補助照明用スイッチレバー７３を灯体部本体１ａに設けたことである。したがって、第１の給電手段も同様であるが、補助照明器具にスイッチが必要でなく、スイッチのない補助照明器具にも適用することができる。
【００２６】
図１６は引っ掛けシーリングボディ取付台６０を軸７５により回動自在に灯体部本体１ａに取付けて、引っ掛けシーリングボディ６１を灯体部本体１ａの周縁から出没自在としている。
図１７は引っ掛けシーリングボディ取付台６０を、灯体部本体１ａに形成した長孔７６に摺動自在に軸７５により取付けて、引っ掛けシーリングボディ６１を進退することにより灯体部本体１ａの周縁から出没させている。
【００２７】
なお、第１の実施の形態ではリード線６２を取付台２の上側に位置させ、また第２の実施の形態ではリード線６２を灯体部本体１ａの周縁部の引っ掛けシーリングボディ取付台６０の近傍に孔を形成してその孔から引き出すようにすることができる。
またこの発明において給電手段は前記した実施の形態に限定されるものではない。
【００２８】
【発明の効果】
請求項１記載の照明器具によれば、支持アームが灯体部の上側にあるため下方からの外観がよくなり、取付台を灯体部に回動自在に設けたため、灯体部が回転することなく支持アームを回動することができ、灯体形状として方向性のあるものにも展開できる。
【００２９】
また、取付台の回転のガイドを灯体部に形成でき、ガイドを別に設けなくてもよいため、構造を簡略化できる。
前記支持アームが前記取付台の中心から径方向に離れた位置に取付けられているため、回転モーメントが大きくなるので支持アームの先端を把持して回転させる際に回転させやすくなる。
前記支持アームを伸縮可能としたため、補助照明取付部が支持アームとともに移動するのでたとえば補助照明を主照明に近づけても不要なアームだけが残ることがなく外観が良くなる。
【００３０】
請求項２記載の照明器具によれば、支持アームの先端に異常な力が加わって取付台が浮くようなことがあっても突出部がフランジに当たるため、灯体部の中心に過負荷が掛からず、支持アームを確実に保持できるとともに、突出部がフランジに当たり、たとえば天井に当たらないので天井を傷付けない。
請求項３記載の照明器具によれば、支持アームが灯体部の上側にあるため下方からの外観がよくなり、取付台を灯体部に回動自在に設けたため、灯体部が回転することなく支持アームを回動することができ、灯体形状として方向性のあるものにも展開できる。
取付台の回転のガイドを灯体部に形成でき、ガイドを別に設けなくてもよいので、構造を簡略化できる。
前記支持アームが前記取付台の中心から径方向に離れた位置に配置されているため、回転モーメントが大きくなるので支持アームの先端を把持して回転させる際に回転させやすくなる。
さらに、支持アームを取付台の回動とともに灯体部の中心の周りに回動するとともに、支持アームの取付位置を中心に回動することで補助照明器具取付部を灯体部に接近離間することができる。
【図面の簡単な説明】
【図１】この発明の第１の実施の形態のフランジを外した状態の一部を切欠いた分解斜視図である。
【図２】その切欠部分の拡大図である。
【図３】分解斜視図である。
【図４】部分断面図である。
【図５】照明器具全体の半断面側面図である。
【図６】第２の実施の形態のフランジを外した状態の分解斜視図である。
【図７】その灯体部の取付台も分離した分解斜視図である。
【図８】部分断面図である。
【図９】第３の実施の形態の半平面図である。
【図１０】第４の実施の形態の支持アームの斜視図である。
【図１１】第１の給電手段の部分斜視図である。
【図１２】その上方からみた部分斜視図である。
【図１３】灯体部を下からみた底面図である。
【図１４】第２の給電手段の部分斜視図である。
【図１５】灯体部を下からみた底面図である。
【図１６】別の給電手段の部分斜視図である。
【図１７】さらに別の給電手段の部分斜視図である。
【図１８】第１の従来例の分解斜視図である。
【図１９】第２の従来例の側面図である。
【符号の説明】
１    灯体部
２    取付台
３    支持アーム
４    ランプ
９    補助照明取付部
１２    取付部
１９    張出部となるフランジ
２８    アームケース
２９    支持アーム部
３０    突出部
【図１】
0003845955.tif 000002
【図２】
0003845955.tif 000003
【図３】
0003845955.tif 000004
【図４】
0003845955.tif 000005
【図５】
0003845955.tif 000006
【図６】
0003845955.tif 000007
【図７】
0003845955.tif 000008
【図８】
0003845955.tif 000009
【図９】
0003845955.tif 000010
【図１０】
0003845955.tif 000011
【図１１】
0003845955.tif 000012
【図１２】
0003845955.tif 000013
【図１３】
0003845955.tif 000014
【図１４】
0003845955.tif 000015
【図１５】
0003845955.tif 000016
【図１６】
0003845955.tif 000017
【図１７】
0003845955.tif 000018
【図１８】
0003845955.tif 000019
【図１９】
0003845955.tif 000020